(57)【要約】【課題】  収納手段の未識別現金収納部に収納された、金種の識別されていない現金の金種や枚数を把握でき、しかも、管理コンピュータにおける現金照合を迅速かつ正確に実行できる。【解決手段】  管理コンピュータ１００の記憶部１２０には、既識別現金情報（既識別現金収納部９２−１１の各収納部９２−１１１〜９２−１１６に収納された現金の各枚数を示す情報）と、入金情報（遊技ホールに設置されている各遊技媒体貸出機２０に投入された現金の金種ごとの枚数を示す情報）とが記憶されている。管理コンピュータ１００の未識別現金推定部１４０において、記憶部１２０から既識別現金情報と入金情報とが取り出される。そして、これら既識別現金情報と入金情報との減算による差が算出される。この算出された差が未識別現金推定情報とされ、記憶部１２０へ送られて記憶される。【選択図】    図１３
2005095240.tif 000002
【特許請求の範囲】
【請求項１】
投入現金の金種及び／又は金額を示す入金信号を生成する入金信号生成部を有した一又は二以上の遊技媒体貸出機と、
これら一又は二以上の遊技媒体貸出機から集められた前記現金のうち金種が識別された現金を収納する既識別現金収納部と、金種が識別されなかった現金を収納する未識別現金収納部とを有した収納手段と、
この収納手段の前記既識別現金収納部に収納された現金を集計し、この集計結果を既識別現金情報とする収納現金集計部を有した現金収納管理手段と、
前記一又は二以上の遊技媒体貸出機から前記入金信号を受信する受信部と、前記入金信号にもとづいて、前記一又は二以上の遊技媒体貸出機に投入された現金を集計し、この集計結果を入金情報とする入金集計部とを有した入金管理手段と、
前記入金情報と前記既識別現金情報とにもとづいて、前記収納手段の前記未識別現金収納部に収納された現金を推定する未識別現金推定手段とを備えた
ことを特徴とする遊技場システム。
【請求項２】
前記未識別現金推定手段は、前記入金情報と前記既識別現金情報との差を、前記未識別現金収納部に収納された現金の推定値とする
ことを特徴とする請求項１記載の遊技場システム。
【請求項３】
前記現金収納管理手段が、前記収納手段の前記未識別現金収納部に収納された現金の枚数を集計し、この集計結果を未識別現金枚数情報とする未識別現金集計部を有し、
前記未識別現金推定手段が、前記入金情報と前記既識別現金情報と前記未識別現金枚数情報とにもとづいて、前記収納手段の前記未識別現金収納部に収納された現金を推定する
ことを特徴とする請求項１又は２記載の遊技場システム。
【請求項４】
収納手段に収納された現金を管理する現金管理装置であって、
現金投入口に投入された現金の金種及び／又は金額を示す入金信号を一又は二以上の遊技媒体貸出機から受信する第一受信部と、
前記入金信号にもとづいて、前記一又は二以上の遊技媒体貸出機に投入された現金を集計し入金情報とする入金集計部と、
収納手段の前記既識別現金収納部に収納された現金の集計値を既識別現金情報として受信する第二受信部と、
前記入金情報と前記既識別現金情報とにもとづいて、前記収納手段の前記未識別現金収納部に収納された現金を推定する未識別現金推定部とを備えた
ことを特徴とする現金管理装置。
【請求項５】
収納手段に収納された現金を管理する現金管理方法であって、
第一受信部が、現金投入口に投入された現金の金種及び／又は金額を示す入金信号を一又は二以上の遊技媒体貸出機から受信し、
入金集計部が、前記入金信号にもとづいて、前記一又は二以上の遊技媒体貸出機に投入された現金を集計し入金情報とし、
第二受信部が、収納手段の前記既識別現金収納部に収納された現金の集計値を既識別現金情報として受信し、
未識別現金推定部が、前記入金情報と前記既識別現金情報とにもとづいて、前記収納手段の前記未識別現金収納部に収納された現金を推定する
ことを特徴とする現金管理方法。
【発明の詳細な説明】
【技術分野】
【０００１】
本発明は、遊技媒体貸出機で投入された現金を金庫に収納して管理する遊技場システム、現金収納管理装置及び現金収納管理方法に関し、特に、金庫に収納された現金の金種や金額を集計・管理する遊技場システム、現金収納管理装置及び現金収納管理方法に関する。
【背景技術】
【０００２】
パチンコ機やスロットマシン等に代表される遊技台が複数設置された遊技ホールにおいては、パチンコ玉やメダルなどの遊技媒体を遊技者に貸し出すための遊技媒体貸出機が設置されている。
この遊技媒体貸出機は、遊技者により現金が投入（挿入・入金）されると、この投入された金額の範囲内に応じた量（あるいは、入力キーにより指定された量）の遊技媒体を払い出す装置である。この遊技媒体貸出機は、近年では、遊技台と遊技台との間にいわゆる台間機として設置されることが多い。
【０００３】
また、複数の遊技台や台間機（遊技媒体貸出機）により構成される島には、遊技媒体貸出機で投入された紙幣や硬貨などの現金を島端へ搬送する搬送装置や、この搬送装置により搬送されてきた現金を収納する収納手段（島金庫の現金収納部分）、この収納手段に収納された現金を管理する現金収納管理手段（島金庫の現金管理部分）などが備えられている。
【０００４】
これらのうち、現金収納管理手段には、搬送装置により搬送されてきた現金の金種を識別するための金種識別部が設けられている。
この金種識別部は、多少の汚れやシワのある紙幣であっても、その金種を識別することはできるが、搬送されてくる紙幣の状態によって、その金種を識別できない場合がある。
こうして金種を識別できなかった現金は、収納手段の未判別現金収納部へ送られて収納される。一方、金種を識別できた現金は、収納手段の既判別現金収納部へ送られて金種ごとに収納される。
【０００５】
また、収納手段に収納されている現金については、管理コンピュータで現金照合（閉店処理）が行なわれている。
この管理コンピュータで行なわれる現金照合は、現金収納管理手段から送られてきた現金のデータと、遊技媒体貸出機から送られてきた入金のデータとにもとづいて行なわれている。
【０００６】
ところが、現金収納管理手段から送られてくる現金データには、金種が判別できなかった現金のデータ、つまり、未判別現金収納部に収納されている現金のデータが含まれていない。これは、金種が不明確なため、金種ごとの枚数や金額を特定できないからである。
このため、管理コンピュータにおいては、遊技媒体貸出機から送られてきたデータにもとづく入金集計と、実際に収納手段に収納されている現金の金額との差異（各遊技媒体貸出機で投入された現金の各金種ごとの集計枚数と、収納手段に収納されている現金の各金種ごとの集計枚数との差異）を照合することができなかった。
【０００７】
そこで、この差異の照合のために、従来は、次のような手法が採られている。
例えば、ホール従業員が、未判別現金収納部に収納されている現金を手で取り出し、各現金の金種を一つ一つ確認し、この確認の結果を管理コンピュータに手入力する手法がある。
この手法により、未判別現金収納部に収納されている現金についても、その金種や枚数を管理コンピュータに入力できる。
【０００８】
また、他の手法としては、例えば、収納手段の既判別現金収納部に、それぞれ対応する金種の紙幣を外部から投入可能とするための紙幣投入口を備えたものがある（例えば、特許文献１参照、第一の従来技術。）。
このような手法によれば、未判別現金収納部内の紙幣を、既判別現金収納部の各紙幣投入口から投入することができ、これにより、搬送されてくるすべての紙幣を金種ごとに振り分けることができる。
【０００９】
さらに他の手法としては、例えば、遊技媒体貸出機の紙幣投入口に投入された紙幣の金種を識別する紙幣識別部と、この識別が行なわれた紙幣の金種情報を生成する紙幣受け入れ部と、紙幣を一時的に貯留する貯留部と、識別マークが設けられた回収ユニットと、この回収ユニットを搬送する搬送手段と、貯留部の近傍に配置され、識別マークを読み取る紙幣回収読み取りセンサと、この紙幣回収読み取りセンサによって読み取られた識別マーク情報を金種情報と共に格納する金種識別マーク情報格納手段と、回収ユニットによって回収された紙幣を収納する収納手段と、この収納手段の紙幣搬送方向上流に配置され、回収ユニットの識別マーク情報を読み取る紙幣収納読み取りセンサと、この紙幣収納読み取りセンサによって読み取られた識別マーク情報を用いて、金種識別マーク情報格納手段に格納された金種情報を抽出し、収納手段に収納される紙幣の金種を確定する収納紙幣金種確定手段とを有したものがある（例えば、特許文献２参照、第二の従来技術。）。
【００１０】
このような構成によれば、収納手段付近に現金の金種を識別する装置を設けなくても、回収ユニットにより回収され収納手段で収納された現金の各金種ごとの枚数や金額を把握できる。
このため、管理コンピュータにおいては、遊技媒体貸出機から送られてきた入金のデータと、金種識別マーク情報格納手段から取り出した金種情報とを比較することで、現金照合を行なうことができる。
【特許文献１】特開２００３−０５１０４８号公報（第１−７頁）
【特許文献２】特開２００３−０４４８９９号公報（第１−８頁）
【発明の開示】
【発明が解決しようとする課題】
【００１１】
しかしながら、未判別現金収納部に収納された現金を手で取り出して金種を確認し管理コンピュータに入力する手法や、第一の従来技術として示された手法においては、ホール従業員が、ホール内の各島ごとに設置された各収納手段で、金種が未識別の紙幣を自らの手で取り出しては金種を確認し、しかも、集計した結果を管理コンピュータに入力するといった作業を行なわなければならないため、非常に手間がかかっていた。
しかも、未識別紙幣の金種別データが入力された後でなければ、管理コンピュータで最終的な現金照合を行なうことができないため、閉店してから現金照合の結果が出るまでに相当の時間を要していた。
さらに、第一の従来技術においては、既判別現金収納部の各金種ごとに紙幣投入口を新たに設けなければならないため、設備コストが高くなっていた。
【００１２】
また、第二の従来技術においては、回収ユニットにより回収された現金の金種が、格納手段に格納された金種情報によりすべて特定されるため、その現金は、金種別に設けられた収納部のいずれかに必ず収納されていた。このため、第二の従来技術は、金種が識別できなかった現金を収納手段（島金庫）に収納することについては想定していなかった。
【００１３】
本発明は、上記の事情にかんがみなされたものであり、収納手段の未識別現金収納部に収納された、金種の識別されていない現金についても、手間や時間をかけることなく金種や枚数を把握でき、かつ、管理コンピュータにおける現金照合を迅速かつ正確に実行可能とし、しかも、これらを安価に実現できる遊技場システム、現金収納管理装置及び現金収納管理方法の提供を目的とする。
【課題を解決するための手段】
【００１４】
この目的を達成するため、本発明の遊技場システムは、投入現金の金種及び／又は金額を示す入金信号を生成する入金信号生成部を有した一又は二以上の遊技媒体貸出機と、これら一又は二以上の遊技媒体貸出機から集められた現金のうち金種が識別された現金を収納する既識別現金収納部と、金種が識別されなかった現金を収納する未識別現金収納部とを有した収納手段と、この収納手段の既識別現金収納部に収納された現金を集計し、この集計結果を既識別現金情報とする収納現金集計部を有した現金収納管理手段と、一又は二以上の遊技媒体貸出機から入金信号を受信する受信部と、入金信号にもとづいて、一又は二以上の遊技媒体貸出機に投入された現金を集計し、この集計結果を入金情報とする入金集計部とを有した入金管理手段と、入金情報と既識別現金情報とにもとづいて、収納手段の未識別現金収納部に収納された現金を推定する未識別現金推定手段とを備えた構成としてある。
【００１５】
遊技場システムをこのような構成とすると、未識別現金推定部は、遊技媒体貸出機に投入された現金の集計値（入金信号にもとづく集計値）と、既識別現金収納部に収納された現金の集計値とにもとづいて、未識別現金収納部に収納された現金の金種や金額を推定できる。
このため、未識別現金推定部や、この未識別現金推定部からデータを受信した装置等においては、未識別現金収納部に収納されている現金の金種やそれらの枚数を自動的に把握できる。つまり、収納手段の未識別現金収納部に収納された現金についても、人手をかけずに金種の集計管理が可能となる。
【００１６】
このことから、ホール従業員が従来未識別現金を手で取り出して金種を一つ一つ確認し、この確認した結果を管理コンピュータに入力するといった手間や、その取り出した未識別現金を、収納手段の既識別現金収納部における各金種ごとに設けられた収納部の紙幣投入口に一枚一枚投入するなどの手間を解消できる。
しかも、遊技媒体貸出機からの入金信号と既識別現金の集計値があれば、未識別現金収納部に収納された現金の金種や枚数，金額を推定できるため、閉店してから現金照合の結果が出るまでの時間を非常に短縮できる。
このため、管理コンピュータにおいては、現金照合を迅速かつ正確に実行できる。
さらに、既識別現金収納部の各金種ごとに紙幣投入口を設ける必要がないため、設備コストを低く抑えることができる。
【００１７】
また、本発明の遊技場システムは、未識別現金推定手段が、入金情報と既識別現金情報との差を、未識別現金収納部に収納された現金の推定値とする構成としてある。
遊技場システムをこのような構成とすれば、入金集計値と収納集計値との差を算出することで、未識別現金収納部に収納された現金の推定値を得ることができる。特に、入金集計値や収納集計値が金種や枚数で管理されていれば、未識別現金収納部に収納された現金の金種や枚数の推定値を把握できる。
これにより、人手をかけず、自動的に島金庫内の現金管理ができ、しかも、管理コンピュータにおける現金照合を迅速かつ正確に行なうことができる。
【００１８】
また、本発明の遊技場システムは、現金収納管理手段が、収納手段の未識別現金収納部に収納された現金の枚数を集計し、この集計結果を未識別現金枚数情報とする未識別現金集計部を有し、未識別現金推定手段が、入金情報と既識別現金情報と未識別現金枚数情報とにもとづいて、収納手段の未識別現金収納部に収納された現金を推定する構成としてある。
【００１９】
遊技場システムをこのような構成とすると、未識別現金推定手段は、入金情報や既識別現金情報だけでなく、未識別現金枚数情報の示す情報（未識別現金収納部に収納された現金の枚数を示す情報）にもとづいて、未識別現金収納部に収納された現金を推定できる。
このため、未識別現金収納部に収納された現金の枚数については、未識別現金枚数情報を根拠にして求められるため、未識別現金収納部に収納された現金の金種ごとの枚数や金額を、より正確に推定できる。
【００２０】
また、本発明の現金収納管理装置は、収納手段に収納された現金を管理する現金管理装置であって、現金投入口に投入された現金の金種及び／又は金額を示す入金信号を一又は二以上の遊技媒体貸出機から受信する第一受信部と、入金信号にもとづいて、一又は二以上の遊技媒体貸出機に投入された現金を集計し入金情報とする入金集計部と、収納手段の既識別現金収納部に収納された現金の集計値を既識別現金情報として受信する第二受信部と、入金情報と既識別現金情報とにもとづいて、収納手段の未識別現金収納部に収納された現金を推定する未識別現金推定部とを備えた構成としてある。
【００２１】
現金収納管理装置をこのような構成とすれば、未識別現金推定部は、入金集計部からの入金集計値と、収納現金集計部からの既識別現金の集計値とにもとづいて、未識別現金収納部に収納された現金の金種や金額を自動的に推定できる。
このことから、未識別現金を人の手で取り出して金種を一つ一つ確認し、この確認した結果を管理コンピュータに入力するといった手間や、その取り出した未識別現金を、収納手段の既識別現金収納部に設けられた紙幣投入口に一枚一枚投入するなどの手間を解消できる。
【００２２】
しかも、遊技媒体貸出機から受信した入金信号にもとづいて入金集計値を求め、さらに島金庫で識別された現金の金種にもとづいて収納集計値を求めれば、未識別現金収納部に収納された現金の金種や金額を推定できるため、ホール従業員によるデータ入力を待たずして、現金照合ができる。
このため、管理コンピュータにおいては、閉店してから現金照合の結果が出るまでの時間を非常に短縮できる。
さらに、未識別現金を推定するための物理的手段を特別に設ける必要がないため、安価な設備で実現できる。
【００２３】
また、本発明の現金収納管理方法は、収納手段に収納された現金を管理する現金管理方法であって、第一受信部が、現金投入口に投入された現金の金種及び／又は金額を示す入金信号を一又は二以上の遊技媒体貸出機から受信し、入金集計部が、入金信号にもとづいて、一又は二以上の遊技媒体貸出機に投入された現金を集計し入金情報とし、第二受信部が、収納手段の既識別現金収納部に収納された現金の集計値を既識別現金情報として受信し、未識別現金推定部が、入金情報と既識別現金情報とにもとづいて、収納手段の未識別現金収納部に収納された現金を推定する方法としてある。
【００２４】
現金収納管理方法をこのような方法とすると、遊技媒体貸出機に投入された現金の集計値（入金信号にもとづき算出された集計値）と、収納現金集計部からの既識別現金の集計値とにもとづいて、未識別現金収納部に収納された現金の金種や金額を自動的に推定できる。
このことから、ホール従業員は、未識別現金の金種を目視で確認すること、この確認した結果を管理コンピュータに入力すること、未識別現金収納部に収納されていた現金を既識別現金収納部の各紙幣投入口に仕分けしながら投入することなどの手間を解消できる。
【発明の効果】
【００２５】
本発明によれば、遊技媒体貸出機に投入された現金の集計値（遊技媒体貸出機から送信されてきた入金信号により算出した集計値）と、収納現金集計部で集計された既識別現金の集計値とにもとづいて、未識別現金収納部に収納された現金の金種や金額を推定できる。このため、未識別現金収納部に収納されている現金の金種やそれらの枚数を自動的に把握できる。
しかも、管理コンピュータにおいては、未識別現金収納部に収納された現金の金種確認結果が入力されるのを待たなくても、その未識別現金収納部に収納された現金の金種ごとの枚数を把握できるため、その現金照合を迅速かつ正確に実行できる。
さらに、既判別現金収納部の各金種ごとに紙幣投入口を設けなくてもよいため、設備コストの低廉化を図ることができる。
【発明を実施するための最良の形態】
【００２６】
以下、本発明に係る遊技場システム、現金収納管理装置及び現金収納管理方法の好ましい実施形態について、図面を参照して説明する。
【００２７】
［実施形態］
まず、本発明の遊技場システムの実施形態について、図１を参照して説明する。
同図は、本実施形態の遊技場システムの構成を示すブロック図である。
同図に示すように、遊技場システム１は、遊技台１０ａ〜１０ｎと、遊技媒体貸出機２０ａ〜２０ｎと、信号線５０ａ〜５０ｎと、台コントローラ６０ａ〜６０ｎと、島コントローラ７０と、搬送手段８０と、島端ボックス９０と、管理コンピュータ１００とを有している。
【００２８】
ここで、遊技台１０ａ〜１０ｎ（以下、略して「遊技台１０」という。）は、メダル，玉，球などに代表される遊技媒体を用いて、所定のゲームを行なう遊技機である。
この遊技台１０には、例えば、スロットマシン，パチンコ機，アレンジボール，雀球機などが含まれる。
【００２９】
遊技媒体貸出機２０ａ〜２０ｎ（以下、略して「遊技媒体貸出機２０」という。）は、図２に示すように、紙幣投入口２１と、硬貨投入口２２と、入力部２３と、遊技媒体払出口２４と、カード挿入口２５とを有している。
紙幣投入口２１は、遊技者等が遊技媒体を借りるために紙幣を投入（挿入）する際の受入口である。
【００３０】
硬貨投入口２２は、遊技者等が遊技媒体を借りるために硬貨を投入（挿入）する際の受入口である。
入力部２３は、暗証番号の入力，遊技媒体の払出数の入力，カードの排出などを行なうためのキーである。
【００３１】
遊技媒体払出口２４は、遊技者に対して遊技媒体を払い出すための排出口である。なお、図２においては、遊技媒体払出口２４の形状がノズル型になっているが、ノズル型に限るものではなく、例えば、遊技媒体貸出機２０の前面下方に受け口を設け、この受け口に遊技媒体を払い出すようにすることもできる。
カード挿入口２５は、遊技者が保有するカード（例えば、プリペイドカード，会員カード，ビジターカードなど）を挿入するための受入口である。
【００３２】
また、遊技媒体貸出機２０は、図３に示すように、紙幣貯留部２６と、硬貨貯留部２７と、紙幣識別検出部２８と、硬貨識別検出部２９と、現金管理部３０と、入金信号送出部３１と、入力管理部３２と、遊技媒体払出管理部３３と、カード検出部３４と、カード管理部３５と、記憶部３６とを有している。
【００３３】
紙幣貯留部２６は、紙幣投入口２１に投入された紙幣を貯めておくための紙幣格納庫である。
硬貨貯留部２７は、硬貨投入口２２に投入された硬貨を貯めておくための硬貨格納庫である。
【００３４】
紙幣識別検出部２８は、紙幣投入口２１に投入された紙幣の金種を検出する。この検出結果は、現金管理部３０へ送られる。
硬貨識別検出部２９は、硬貨投入口２２に投入された硬貨の金種を検出する。この検出結果は、現金管理部３０へ送られる。
なお、本実施形態において、紙幣や硬貨の「識別」には、それら紙幣や硬貨の金種の識別と、それら紙幣や硬貨が使用可能なものか否か（投入された紙幣や硬貨が本物か贋物か）を判断する識別とが含まれる。
【００３５】
現金管理部３０は、図４に示すように、金種判断部３０−１と、入金信号生成部３０−２とを有している。
金種判断部３０−１は、紙幣識別検出部２８から検出結果を受け取ると、この検出結果の示す紙幣の金種を判断し、この判断結果を入金信号生成部３０−２へ送る。
また、金種判断部３０−１は、硬貨識別検出部２９から検出結果を受け取ると、この検出結果の示す硬貨の金種を判断し、この判断結果を入金信号生成部３０−２へ送る。
【００３６】
入金信号生成部３０−２は、金種判断部３０−１から送られてきた判断結果にもとづいて、この判断結果の示す紙幣又は硬貨の金種が示された信号を入金信号として生成し、入金信号送出部３１へ送る。
この入金信号生成部３０−２で生成される入金信号は、波形により紙幣又は硬貨の金種を示す。
このパルス数による金種を示し方については、後記の「金種判断部６２」で説明する。
【００３７】
入金信号送出部（送信部）３１は、現金管理部３０の入金信号生成部３０−２から送られてきた入金信号を、信号線５０を介して台コントローラ６０ａ〜６０ｎへ送信する。
なお、本実施形態においては、入金信号送出部３１による入金信号の送信先を台コントローラ６０としているが、台コントローラ６０に限るものではなく、例えば、島コントローラ７０あるいは管理コンピュータ１００とすることもできる。
【００３８】
入力管理部３２は、入力部２３での入力操作の内容を判断し、その操作内容に応じた処理を所定の構成部に実行させる。
遊技媒体払出管理部３３は、紙幣投入口２１に投入された紙幣の額，硬貨投入口２２に投入された硬貨の額，入力部２３で遊技媒体に交換すべき金額として入力操作された額にもとづいて、それら額（又は、この額の範囲内）に応じた量の遊技媒体を計数し、遊技媒体払出口２４へ送って払い出す。
【００３９】
カード検出部３４は、カード挿入口２５で挿入されたカードを検出する。また、カード検出部３４は、検出したカードから、所定のデータ（カードデータ）を読み込んでカード管理部３５へ送る。
カード管理部３５は、カード検出部３４で読み込まれたカードデータを受け取って記憶部３６へ送り記憶させる。
なお、本実施形態においては、現金管理部３０，入力管理部３２，遊技媒体払出管理部３３，カード管理部３５を総称して「遊技媒体貸出機管理手段Ａ」という。
【００４０】
記憶部３６は、カード管理部３５から送られてきたカードデータを記憶する。
また、記憶部３６は、現金管理部３０で確認された現金の金種を記憶する。
さらに、記憶部３６は、入力部２３での入力操作の内容や、遊技媒体払出口２４から払い出された遊技媒体の数量などを記憶する。
【００４１】
なお、遊技媒体貸出機２０は、図５に示すように、発行前のカードが収納されているカード収納部３７と、遊技媒体貸出機２０の前面からカードを排出するカード発行口３８と、カード収納部３７から取り出したカードをカード発行口３８へ送り出すカード送出部３９と、カード発行指示を受けてカード送出部３９にカードの発行処理を実行させるカード発行管理部４０とを有することができる。
ここで、カード発行指示とは、入力部２３でカード発行の操作が行なわれたことにもとづいて、入力管理部３２がカード発行管理部４０に対してカード発行を指示するための信号をいう。
また、図５においては、カード挿入口２５とカード発行口３８とがそれぞれ別個の構成となっているが、それらは別個の構成とすることに限るものではなく、同一の構成、すなわち、カードの挿入と発行とが一つの開口部分で行われる構成とすることもできる。
【００４２】
また、本実施形態の遊技媒体貸出機２０には、例えば、現金が投入されて遊技媒体を払い出すもの、投入された現金を挿入されたカードに課金し、この課金した額の全部又は一部を遊技媒体として貸し出すもの、カードの有する有価価値の全部又は一部を遊技媒体として貸し出すものなどが含まれる。
ただし、本発明は、入金信号が金種を示すことを特徴としているため、本実施形態の遊技媒体貸出機２０には、少なくとも現金が投入されて遊技媒体を払い出す機能を有した遊技媒体貸出機が含まれる。
【００４３】
信号線５０ａ〜５０ｎ（以下、略して「信号線５０」という。）は、遊技媒体貸出機２０から台コントローラ６０へ入金信号を送信する線であって、図６（ａ）に示すように、一本２線式の一回線で配線されている。
なお、本実施形態においては、図６（ａ）に示すように、信号線５０を一本２線式で一回線として配線することとしているが、一本２線式に限るものではなく、例えば、一本１線式とすることもできる。
ただし、一本１線式とする場合は、図６（ｂ）に示すように、遊技媒体貸出機２０と台コントローラ６０との間にアース線を設け、遊技媒体貸出機２０から台コントローラ６０へ入金信号を送信する送信線とアース線とで一回線とすることもできる。
【００４４】
また、信号線５０は、金種ごとに設けることもできる。
つまり、一万円紙幣用信号線，五千円紙幣用信号線，二千円紙幣用信号線，千円紙幣用信号線，五百円硬貨用信号線，百円硬貨用信号線をそれぞれ設けることもできる。
この場合は、入金信号がどの信号線を通ったかによって金種を把握することができる。
【００４５】
台コントローラ６０は、図７に示すように、信号線５０を介して遊技媒体貸出機２０から入金信号を受信するインタフェイス（受信部）６１と、このインタフェイス６１から受け取った入金信号にもとづいて現金の金種を判断する金種判断部６２と、判断された金種を示す信号を生成する信号生成部６３と、この信号生成部６３で生成された信号を島コントローラ７０へ送信する送信部６４とを有している。
【００４６】
インタフェイス６１は、信号線５０と接続されており、入金信号を受信する。
金種判断部６２は、インタフェイス６１から受け取った入金信号にもとづいて金種を判断する。
この金種の判断は、次のように行なうことができる。
入金信号が、図８に示すように、一又は二以上のパルス波を出力後、所定時間以上の空白時間が設けられ、続いて、次のパルスが出力されている場合、金種判断部６２は、所定時間以上の空白時間が発生するまでのパルス数をカウントし、このカウントしたパルス数にもとづいて金種を判断する。
【００４７】
入金信号の１パルスが示す金額は予め定められており、この金額にパルス数を乗じた値が金種となる。
例えば、１パルスが１００［円］を示すものと定められており、１０パルスがカウントされたとすると、１００［円］×１０［パルス］＝１０００［円］との計算により、金種は千円紙幣であると判断できる。
なお、本実施形態においては、金種を示す一又は二以上のパルス（二以上の場合はパルス群）を金種表示パルスというものとする。
【００４８】
また、本実施形態においては、入金信号にもとづく金種の判断を台コントローラ６０で行なうこととしているが、台コントローラ６０に限るものではなく、例えば、島コントローラ７０や管理コンピュータ１００で行なうこともできる。
この場合、島コントローラ７０や管理コンピュータ１００は、入金信号（あるいは、信号波形により金種を表す信号）を受信する機能や、入金信号（あるいは、信号波形により金種を表す信号）にもとづいて金種を判断する機能を有している。
このことから、本実施形態においては、台コントローラ６０，島コントローラ７０，管理コンピュータ１００を総称して「入金管理装置」というものとする。
さらに、本実施形態においては、台ユニット６０から島コントローラ７０へ送信される信号も、遊技媒体貸出機２０で投入された現金の金種又は金額を示す信号であるため、入金信号というものとする。
【００４９】
島コントローラ７０は、台コントローラ６０から送信されてきた入金信号を受信すると、この入金信号を管理コンピュータ１００へ送信する。
また、島コントローラ７０は、島金庫９２の信号通信部（収納信号送信部）９２−２６（後述）から送信されてきた既識別現金情報（島金庫９２の既識別現金収納部９２−１１（後述）に収納された現金の枚数を金種ごとに表した信号、収納信号）や、未識別現金枚数情報（島金庫９２の未識別現金収納部９２−１２（後述）に収納された現金の枚数に関する情報、後述）を受信すると管理コンピュータ１００へ送信する。
さらに、島コントローラ７０は、管理コンピュータ１００からの未識別現金推定情報（島金庫９２の未識別現金収納部９２−１２に収納された現金に関する情報であって、管理コンピュータ１００で推定された情報）を島金庫９２へ送信する。
【００５０】
この島コントローラ７０には、所定のカードを発行する発券機や、会員カードの残高を精算する精算機、さらには課金機などを接続することができる。なお、これら発券機，精算機，課金機は、図示していない。
また、島コントローラ７０は、出金信号を送出する機能も有することができる。
【００５１】
搬送手段８０は、遊技媒体貸出機２０の紙幣貯留部２６や硬貨貯留部２７から紙幣や硬貨を回収して、島端ボックス９０の現金搬送制御部９１へ搬送する。
この搬送手段８０が紙幣を回収する構成は、特開平５−６２０５４号公報「紙幣回収装置」に記載の技術により実現可能である。
【００５２】
なお、遊技媒体貸出機２０で投入された紙幣や硬貨を島金庫９２へ送る手法としては、搬送手段８０が紙幣貯留部２６や硬貨貯留部２７から紙幣や硬貨を回収する手法の他、遊技媒体貸出機２０が排出した現金を島端ボックス９０へ搬送する手法などがある。
【００５３】
島端ボックス９０は、図１に示すように、現金搬送制御部９１と、島金庫９２とを有している。
現金搬送制御部９１は、搬送手段８０により搬送されてきた現金を受け取り、島金庫９２へ送る。
【００５４】
島金庫９２は、図９に示すように、収納手段９２−１と、現金収納管理手段９２−２とを有している。
収納手段９２−１は、図１０に示すように、現金収納管理手段９２−２の金種識別部９２−２２（後述）で金種が識別された現金を収納する既識別現金収納部９２−１１と、金種が識別されなかった現金を収納する未識別現金収納部９２−１２とを有している。
【００５５】
既識別現金収納部９２−１１は、各金種ごとに収納部を有している。つまり、既識別現金収納部９２−１１は、一万円紙幣収納部９２−１１１と、五千円紙幣収納部９２−１１２と、二千円紙幣収納部９２−１１３と、千円紙幣収納部９２−１１４と、五百円硬貨収納部９２−１１５と、百円硬貨収納部９２−１１６とを有している。
なお、本実施形態においては、各金種ごとの収納部９２−１１１〜９２−１１６を一つの既識別現金収納部９２−１１に備えているが、各金種ごとの収納部９２−１１１〜９２−１１６は一つの既識別現金収納部９２−１１に備えていることに限るものではなく、例えば、紙幣用の収納部と硬貨用の収納部とは別個に備えた構成とすることもできる。
【００５６】
また、図１０においては、各収納部がそれぞれ一の金種のみ収納することとしているが、各収納部は一の金種のみ収納することに限るものではなく、二つ以上の金種を収納することもできる。例えば、一つの収納部に収納される現金の金種を、一万円紙幣，二千円紙幣，五千円紙幣の三種類とすることができる。
なお、金種が混在して収納部に収納されていても、どの金種が何枚収納されているかは金種識別部９２−２２や収納現金集計部９２−２５で管理・把握されているため、問題は生じない。しかも、二千円紙幣や五千円紙幣は投入枚数が少ないのが通常であるため、他の金種（一万円紙幣など）と一緒の収納部とすることで、二千円紙幣収納部や五千円紙幣収納部を省略して、収納スペースを有効に利用でき、これにより既識別現金収納部ひいては島金庫の小型化を図ることができる。
【００５７】
現金収納管理手段９２−２は、図１１に示すように、現金受取部９２−２１と、金種識別部９２−２２と、現金収納振分部９２−２３と、記憶部９２−２４と、収納現金集計部９２−２５と、信号通信部９２−２６と、通信情報管理部９２−２７と、表示部９２−２８と、表示管理部９２−２９とを有している。
現金受取部９２−２１は、現金搬送制御部９１から現金を受け取る。
【００５８】
金種識別部９２−２２は、現金受取部９２−２１で受け取られた現金の金種を識別する。そして、この識別結果を識別信号として収納現金集計部９２−２５と現金収納振分部９２−２３へそれぞれ送る。
この金種識別部９２−２２から出力される識別信号には、識別された金種を示す信号と、識別ができなかったことを示す信号（あるいは、識別できなかった現金の枚数を示す信号）とが含まれる。
【００５９】
現金収納振分部９２−２３は、識別信号の示す識別結果にもとづき、金種識別部９２−２２で金種が識別できた現金を島金庫９２の既識別現金収納部９２−１１へ、また、金種識別部９２−２２で金種が識別できなかった現金を島金庫９２の未識別現金収納部９２−１２へそれぞれ送って（振り分けて）収納させる。
このとき、現金収納振分部９２−２３は、識別信号の示す識別結果にもとづいて、収納手段９２−１の各収納部９２−１１１〜９２−１１６，９２−１２にそれぞれ設けられたシュータ（図示せず）のうち、識別情報の示す金種に対応したシュータを駆動して、該当する金種の収納部にその現金を収納する。
【００６０】
記憶部９２−２４は、島金庫９２における既識別現金収納部９２−１１の各収納部９２−１１１〜９２−１１６にそれぞれ収納されている現金の金種ごとの枚数を既識別現金情報（収納集計値）として記憶する。つまり、記憶部９２−２４は、図１２に示すように、各収納部９２−１１１〜９２−１１６ごとに既識別現金情報を記憶する。
また、記憶部９２−２４は、島金庫９２における未識別現金収納部９２−１２に収納されている現金の枚数を未識別現金枚数情報として記憶する。
【００６１】
収納現金集計部９２−２５は、金種識別部９２−２２から識別信号を受け取ると、この識別信号の示す内容を判断する。判断の結果、識別信号が一つの金種を示すものであるときは、この金種に関する既識別現金情報を記憶部９２−２４から取り出す。
そして、収納現金集計部９２−２５は、その取り出した既識別現金情報の示す収納枚数に「１」を加算し、この加算後の既識別現金情報を記憶部９２−２４へ送って記憶させる。
【００６２】
具体的には、例えば、現金受取部９２−２１で受け取られた現金の金種が千円紙幣であることが金種識別部９２−２２で識別されると、「千円紙幣」を示す識別信号が収納現金集計部９２−２５へ送られる。
収納現金集計部９２−２５で、その識別信号が「千円紙幣」を示すものと判断・特定されると、この「千円紙幣」に関する既識別現金情報が記憶部９２−２４から取り出される。
【００６３】
この取り出された「千円紙幣」の既識別現金情報により示される収納枚数が「３」であるとすると、収納現金集計部９２−２５で「３＋１＝４」の演算が実行され、今度は「４」を示す「千円紙幣」の既識別現金情報が記憶部９２−２４へ送られて記憶される。
なお、金種識別部９２−２２で金種の識別が行なわれた現金（千円紙幣）は、現金収納振分部９２−２３を介して収納手段９２−１へ送られ、既識別現金収納部９２−１１の千円紙幣収納部９２−１１４に収納される。
【００６４】
このような処理・動作により、既識別現金収納部９２−１１の千円紙幣収納部９２−１１４に収納された千円紙幣は、「千円紙幣」の既識別現金情報によって４枚であることが示される。
【００６５】
また、収納現金集計部９２−２５は、金種識別部９２−２２から識別信号を受け取ると、この識別信号の示す内容を判断する。判断の結果、識別信号が金種を識別できなかったこと（あるいは、金種を識別できなかった現金の枚数）を示すものであるときは、記憶部９２−２４から未識別現金枚数情報を取り出す。
そして、収納現金集計部９２−２５は、その取り出した未識別現金枚数情報の示す収納枚数に「１」を加算し、この加算後の未識別現金枚数情報を記憶部９２−２４へ送って記憶させる。
【００６６】
具体的には、例えば、現金受取部９２−２１で受け取られた現金について金種の識別ができないものと金種識別部９２−２２で判断されると、金種が識別できなかったこと（あるいは、金種を識別できなかった現金の枚数）を示す識別信号が収納現金集計部９２−２５へ送られる。
収納現金集計部９２−２５で、その識別信号が金種を識別できなかったこと（あるいは、金種を識別できなかった現金の枚数）を示すものと判断されると、未識別現金枚数情報が記憶部９２−２４から取り出される。
【００６７】
この取り出された未識別現金枚数情報により示される収納枚数が「３」であるとすると、収納現金集計部９２−２５で「３＋１＝４」の演算が実行され、今度は「４」を示す未識別現金枚数情報が記憶部９２−２４へ送られて記憶される。
なお、金種識別部９２−２２で金種の識別ができなかった現金は、現金収納振分部９２−２３を介して収納手段９２−１へ送られ、未識別現金収納部９２−１２に収納される。
このような処理・動作により、未識別現金収納部９２−１２に収納された紙幣は、未識別現金枚数情報によって４枚であることが示される。
なお、収納現金集計部９２−２５は、未識別現金収納部９２−１２に収納された現金の枚数を集計することから、未識別現金集計部としての機能を有している。
【００６８】
信号通信部９２−２６は、通信情報管理部９２−２７からの既識別現金情報（収納信号）や未識別現金枚数情報を、島コントローラ７０へ送信する。
また、信号通信部９２−２６は、島コントローラ７０から未識別現金推定情報を受信して通信情報管理部９２−２７へ送る。
【００６９】
通信情報管理部９２−２７は、所定のタイミングで、記憶部９２−２４から既識別現金情報（収納信号）や未識別現金枚数情報を取り出すと信号通信部９２−２６へ送る。
また、通信情報管理部９２−２７は、信号通信部９２−２６からの未識別現金推定情報を記憶部９２−２４へ送って記憶させる。
【００７０】
表示部９２−２８は、液晶表示装置，ＣＲＴ（ブラウン管），プラズマディスプレイなどで構成でき、表示管理部９２−２９から送られてきた所定の情報を画面表示する。
この表示部９２−２８で表示される情報には、例えば、既識別現金情報，未識別現金枚数情報，未識別現金推定情報などがある。
表示管理部９２−２９は、所定のタイミングで、記憶部９２−２４から所定の情報（例えば、既識別現金情報，未識別現金枚数情報，未識別現金推定情報など）を取り出し、表示可能に加工して表示部９２−２８へ送り表示させる。
【００７１】
なお、表示管理部９２−２９は、押しボタンスイッチなどで構成された操作部（図示せず）の操作により、表示部９２−２８に表示される情報を順次切り換えて表示させることもできる。
例えば、押しボタンスイッチが一回押下されると、収納手段９２−１に収納されている現金のうち、一万円紙幣の枚数又は金額（一万円紙幣に関する既識別現金情報の示す枚数又は金額）が表示され、続いて押下されると、今度は五千円紙幣の枚数又は金額（五千円紙幣に関する既識別現金情報の示す枚数又は金額）が表示され、その後は、押下されるごとに、二千円紙幣，千円紙幣，五百円硬貨，百円硬貨の収納枚数又は金額が順次表示される。
さらに、未識別現金収納部９２−１２に収納された現金の枚数についても表示させることができる。
ただし、管理コンピュータ１００で推定されるまでは、枚数のみ表示され、推定された後は、各金種に加算されるため、未識別現金としては「０」と表示される。
なお、本実施形態においては、搬送手段８０と島端ボックス９０とを総称して「搬送装置」という。
【００７２】
管理コンピュータ１００は、島コントローラ７０から送信されてきた入金信号にもとづく入金合計金額と、同じく島コントローラ７０から送信されてきた既識別現金情報や未識別現金枚数情報にもとづく現金合計金額とを比較して、島金庫９２に収納されている金種毎の現金の管理を行なう。
また、管理コンピュータ１００は、図１３に示すように、通信部１１０と、記憶部１２０と、入金集計部１３０と、未識別現金推定部１４０とを有している。
【００７３】
通信部１１０は、島コントローラ７０から送信されてきた入金信号を受信する。
このように通信部１１０は、入金信号を受信するため、第一受信部（受信部）としての機能を有している。
なお、通信部１１０で受信された入金信号は、記憶部１２０へ送られて記憶される。
【００７４】
また、通信部１１０は、島コントローラ７０から未識別現金枚数情報を受信する。
このように通信部１１０は、未識別現金枚数情報を送信するため、第二受信部としての機能を有している。
なお、通信部１１０で受信された未識別現金枚数情報は、記憶部１２０へ送られて記憶される。
【００７５】
さらに、通信部１１０は、島コントローラ７０から既識別現金情報を受信する。この受信された既識別現金情報は、記憶部１２０へ送られて記憶される。
また、通信部１１０は、記憶部１２０から取り出した（あるいは、未識別現金推定部１４０から送られてきた）未識別現金推定情報を島コントローラ７０へ送信する。
【００７６】
なお、管理コンピュータ１００は、入金信号を、島コントローラ７０ではなく、台コントローラ６０や遊技媒体貸出機２０から受信することもできる。
また、管理コンピュータ１００は、既識別現金情報や未識別現金枚数情報を、島コントローラ７０ではなく、島端ボックス９０の島金庫９２（後述）から受信することもできる。
この管理コンピュータ１００で送受信される入金信号，既識別現金情報，未識別現金枚数情報，未識別現金推定情報は、それぞれ図８に示すようなパルス波で金種や枚数などを示すようにすることもできる。
【００７７】
記憶部１２０は、入金信号，入金情報，未識別現金枚数情報，既識別現金情報，未識別現金推定情報などを記憶する。
入金集計部１３０は、記憶部１２０から取り出した入金信号にもとづいて、遊技ホールに設置された一又は二以上の遊技媒体貸出機２０における入金金額を集計する。そして、この集計した値を入金情報として、記憶部１２０へ送り記憶させる。
【００７８】
未識別現金推定部（未識別現金推定手段）１４０は、記憶部１２０から入金情報と既識別現金情報とを取り出すと、それら入金情報と既識別現金情報とにもとづいて未識別現金収納部９２−１２に収納された現金の金種ごとの枚数を算出する。
具体的には、例えば、「一万円紙幣収納部」に関する既識別現金情報が図１２に示すように「７１枚」を示し、「一万円紙幣収納部」に関する入金情報が図１４に示すように「７３枚」を示すものとすると、未識別現金推定部１４０は、入金情報の示す「７３枚」から既識別現金情報の示す「７１枚」を減算し、この減算で得られた「２枚」を「一万円紙幣」に関する未識別現金推定情報とする（図１５）。
【００７９】
他の金種についても同様な処理を行なう。
たとえば、五千円紙幣については、「２８枚−２７枚＝１枚」、二千円紙幣については、「５枚−５枚＝０枚」、千円紙幣については、「１２９１枚−１２８８枚＝３枚」の減算処理を行う。
これにより、「五千円紙幣」，「二千円紙幣」，「千円紙幣」の未識別現金推定情報は、それぞれ「１枚」，「０枚」，「３枚」となる。
こうして算出された未識別現金推定情報は、未識別現金推定部１４０から記憶部１２０へ送られて記憶される。
【００８０】
なお、図１５においては、紙幣に関する未識別現金推定情報のみ設けて、硬貨に関する未識別現金推定情報は設けていない。これは、近年における硬貨の金種識別の技術レベルが非常に高く、識別されないことがほとんど無いことにもとづく。しかし、硬貨の金種が識別されない場合が想定されるときは、硬貨に関する未識別現金推定情報を設けることもできる。
【００８１】
また、未識別現金推定部１４０は、記憶部１２０から入金情報と既識別現金情報と未識別現金枚数情報とを取り出すと、それら入金情報と既識別現金情報と未識別現金枚数情報とにもとづいて未識別現金収納部９２−１２に収納された現金の金種ごとの枚数を算出することもできる。
具体的には、例えば、入金情報と既識別現金情報とにもとづいて未識別現金収納部９２−１２に収納された一万円紙幣が「２枚」、五千円紙幣が「１枚」、二千円紙幣が「０枚」、千円紙幣が「３枚」であったとする。このため、入金情報と既識別現金情報とにもとづけば、未識別現金収納部９２−１２には、計６枚の紙幣が収納されていたことになる。
【００８２】
ここで、未識別現金枚数情報が「６枚」を示すものであれば、入金情報と既識別現金情報とにもとづいて算出された「計６枚」と一致するため、未識別現金収納部９２−１２に収納された現金は、算出の通りであるものと断定できる。
これに対し、未識別現金枚数情報が「６枚」ではなく「５枚」であるときは、「１枚」の誤差が生じる。この場合は、例えば、搬送手段８０に紙幣が詰まっているなどの予測が可能となる。
【００８３】
なお、管理コンピュータ１００は、図１３に示すように、入金信号を受信する通信部（受信部）１１０と、入金信号にもとづいて入金情報を作成する入金集計部１３０とを備えていることから、「入金管理手段」としての機能を有している。
ただし、受信部や入金集計部は、例えば、島コントローラ７０，台コントローラ６０，島端ボックス９０（現金搬送制御部９１や島金庫９２を含む）などに設けることができる。この場合、島コントローラ７０，台コントローラ６０，島端ボックス９０などが、「入金管理手段」としての機能を有する。
【００８４】
ただし、入金集計部や未識別現金推定部を台コントローラ６０に設けた場合は、この台コントローラ６０が既識別現金情報や未識別現金枚数情報を受信するための手段を設ける必要がある。
また、島コントローラ７０，台コントローラ６０，島端ボックス９０などで算出された未識別現金推定情報は、管理コンピュータ１００へ送るようにすることが望ましい。
【００８５】
また、図１３においては、管理コンピュータ１００が、「入金管理手段」（受信部及び入金集計部）と未識別現金推定部との双方を備えた構成となっているが、一つの装置が「入金管理手段」と未識別現金推定部との双方を備えた構成とすることに限るものではなく、それら「入金管理手段」と未識別現金推定部とは、別個の装置にそれぞれ備えることもできる。
【００８６】
次に、未識別現金収納部に収納された現金の金種ごとの枚数を算出する方法について、図１６を参照して説明する。
同図は、管理コンピュータ１００における未識別現金推定方法を示すフローチャートである。
【００８７】
同図に示すように、管理コンピュータ１００においては、島コントローラ７０を介して島端ボックス９０から送信されてきた既識別現金情報（既識別現金収納部９２−１１の各収納部９２−１１１〜９２−１１６に収納された現金の各枚数を示す情報）が通信部１１０で受信され記憶部１２０へ送られて記憶される（ステップ１０）。
また、管理コンピュータ１００においては、島コントローラ７０や台コントローラ６０を介して各遊技媒体貸出機２０から送信されてきた入金信号（遊技ホールに設置されている各遊技台１０に投入された現金の金種ごとの枚数を示す信号）が通信部１１０で受信され記憶部１２０へ送られて記憶される（ステップ１１）。
【００８８】
管理コンピュータ１００の入金集計部１３０において、記憶部１２０から入金信号が取り出され、遊技ホールに設置された一又は二以上の遊技媒体貸出機２０において投入された現金が集計され、入金情報として記憶部１２０へ送られて記憶される（入金情報の生成、ステップ１２）。
【００８９】
未識別現金推定部１４０において、記憶部１２０から既識別現金情報と入金情報とが取り出される。
そして、これら取り出された既識別現金情報と入金情報との減算による差が算出される（ステップ１３）。
この算出された差が未識別現金推定情報とされ、記憶部１２０へ送られて記憶される（ステップ１４）。
【００９０】
その後、未識別現金推定部１４０において、所定のタイミングで、記憶部１２０から未識別現金推定情報が取り出され、通信部１１０を介して、島コントローラ７０、そして、島金庫９２へ送られる（ステップ１５）。
なお、ここで、「所定のタイミング」とは、管理コンピュータ１００での閉店処理において、未識別現金収納部９２−１２に収納された現金が推定された後との意味である。
【００９１】
このように「所定のタイミング」を閉店処理で未識別現金が推定された後としているのは、次のような理由による。
既識別現金収納部９２−１１に収納された現金については、営業時間内であってもリアルタイムに収納枚数を把握し表示部９２−２８に表示することができるものの、未識別現金収納部９２−１２に収納された現金については、搬送手段８０による現金の搬送時間との関係から誤差が生じてしまい、営業時間内にリアルタイムで把握することができないためである。
【００９２】
以上、本発明の遊技場システム及び遊技媒体貸出機の好ましい実施形態について説明したが、本発明に係る遊技場システム及び遊技媒体貸出機は上述した実施形態にのみ限定されるものではなく、本発明の範囲で種々の変更実施が可能であることは言うまでもない。
例えば、上述した実施形態では、島金庫が現金収納管理手段を備えた構成としてあるが、島金庫が現金収納管理手段を備えることに限るものではなく、たとえば、現金搬送制御部が現金収納管理手段を備えることもできる。ただし、この場合、現金搬送制御部と島コントローラとの間で入金信号などの送受信を行なう必要がある。
【００９３】
また、島金庫に収納される現金の金種は六種類（一万円紙幣，五千円紙幣，二千円紙幣，千円紙幣，五百円硬貨，百円硬貨）としてあるが、これら六種類に限るものではなく、今後金種が増えた場合には、その増えた金種についても本発明を利用可能である。
【００９４】
さらに、図１においては、遊技場システムが台コントローラや島コントローラと備えた構成としてあるが、台コントローラや島コントローラを備えた構成に限るものではなく、たとえば、台コントローラの機能を島コントローラが有して台コントローラを省略することもでき、また、台コントローラや島コントローラの機能を管理コンピュータが有して台コントローラや島コントローラを省略することもできる。
【産業上の利用可能性】
【００９５】
本発明は、島金庫の未識別現金収納部に収納された現金を算出可能とするものであるため、金種を識別できなかった現金を取り扱うシステムや装置に利用可能である。
【図面の簡単な説明】
【００９６】
【図１】本発明の遊技場システムの構成を示すブロック図である。
【図２】本発明の遊技媒体貸出機の前面構成を示す正面図である。
【図３】本発明の遊技媒体貸出機の内部構成を示すブロック図である。
【図４】遊技媒体貸出機の現金管理部の構成を示すブロック図である。
【図５】本発明の遊技媒体貸出機における他の内部構成を示すブロック図である。
【図６】信号線の配設例を示す図である。
【図７】遊技媒体貸出機、信号線及び台コントローラの構成を示すブロック図である。
【図８】入金信号の形状を示す波形図である。
【図９】島金庫の構成を示すブロック図である。
【図１０】島金庫の収納手段の構成を示すブロック図である。
【図１１】島金庫の現金収納管理手段の構成を示すブロック図である。
【図１２】既識別現金情報の例を示す図表である。
【図１３】管理コンピュータの構成を示すブロック図である。
【図１４】入金情報の例を示す図表である。
【図１５】未識別現金推定情報の例を示す図表である。
【図１６】未識別現金収納部に収納されている現金の金種ごとの枚数の算出方法を示すフローチャートである。
【符号の説明】
【００９７】
１  遊技場システム
１０  遊技台
２０  遊技媒体貸出機
３０  現金管理部
３０−１  金種判断部
３０−２  入金信号生成部
３１  入金信号送出部
５０  信号線
６０  台コントローラ
７０  島コントローラ
８０  搬送手段
９０  島端ボックス
９１  現金搬送制御部
９２  島金庫
９２−１  収納手段
９２−１１  既識別現金収納部
９２−１２  未識別現金収納部
９２−２  現金収納管理手段
９２−２１  現金受取部
９２−２２  金種識別部  ９２−２３  現金収納振分部
９２−２４  記憶部  ９２−２５  収納現金集計部
９２−２６  信号通信部  ９２−２７  通信情報管理部
１００  管理コンピュータ
１１０  通信部
１２０  記憶部
１３０  入金集計部
１４０  未識別現金推定部
【図１】
2005095240.tif 000003
【図２】
2005095240.tif 000004
【図３】
2005095240.tif 000005
【図４】
2005095240.tif 000006
【図５】
2005095240.tif 000007
【図６】
2005095240.tif 000008
【図７】
2005095240.tif 000009
【図８】
2005095240.tif 000010
【図９】
2005095240.tif 000011
【図１０】
2005095240.tif 000012
【図１１】
2005095240.tif 000013
【図１２】
2005095240.tif 000014
【図１３】
2005095240.tif 000015
【図１４】
2005095240.tif 000016
【図１５】
2005095240.tif 000017
【図１６】
2005095240.tif 000018